(57)【特許請求の範囲】
【請求項１】
中心に光ファイバが組み込まれた有機絶縁体を有する光ファイバ内蔵碍子において、前記有機絶縁体は、外周面に溝が切られていない繊維強化樹脂ロッドの外周面に光ファイバが巻き付けられると共に、前記光ファイバが前記繊維強化樹脂ロッドの所望の位置に接着剤で点状に固定されてなる光ファイバロッドと、前記光ファイバロッドに被せられた繊維強化樹脂筒とから成ることを特徴とする光ファイバ内蔵碍子。
【発明の詳細な説明】
【０００１】
【発明の属する技術分野】
本発明は、送配電線又は発電設備、変電設備等において使用され、高電圧部の種々の情報を光信号として地上に伝送する光ファイバを内蔵した光ファイバ内蔵碍子の改良に関するものである。
【０００２】
【従来の技術】
一般に、送配電線や発電設備、変電設備等においては、地絡・短絡等を防止するために、計測、監視保護、制御システムが設けられることが多い。このような計測、監視、制御のためのシステムとしては、光ファイバの高い電気絶縁性や耐電磁ノイズ性に着目して光センサや光伝送装置が用いられ、その光信号を高電圧部から接地側の機器にまで伝送するために光ファイバを内蔵した光ファイバ内蔵碍子が用いられる。
【０００３】
図３に例示するように、従来の光ファイバ内蔵碍子１０は、碍子本体１２と、この碍子本体１２の両端に設けられた接続金具１４とから成っている。なお、図３において、２８はキャップ、３０は碍子本体１２に嵌入される箱形の取付金具、３２は取付金具３０に被せられるように取付けられたカバーフランジ、３４は光ファイバ１６を外部へ接続するためのアダプタフランジ、３６は碍子本体１２から突出した余長の光ファイバ１６を収納する収納ケース、３８は収納ケース３６が配置される余長収納部、４０はアダプタである。
【０００４】
この碍子本体１２は、中心に光ファイバ１６が組み込まれた有機絶縁体１８と、この有機絶縁体１８の外周に設けられたひだ付きチューブ２０とから成っている。
【０００５】
有機絶縁体１８は、光ファイバロッド２２と、この光ファイバロッド２２に被せられた繊維強化樹脂筒２４とから成っている。この光ファイバロッド２２と繊維強化絶縁筒２４との間には、電気絶縁性を向上させるため、絶縁樹脂２６が充填される。この絶縁樹脂２６としては、例えば、シリコーン樹脂等を用いることができる。
【０００６】
光ファイバロッド２２は、図４に示すように、繊維強化樹脂ロッド２２Ａの外周面に設けられた螺旋溝２２Ｂに光ファイバ１６が収納されて形成されている。このように、光ファイバ１６は、螺旋溝２２Ｂ内に収納されているため、光ファイバロッド２２を繊維強化樹脂筒２４内に格納し両者の間に絶縁樹脂２６を充填する際、この絶縁樹脂２６の硬化時に生じる収縮の影響を受けることが少ない。また、硬化後においても、温度変化に伴う絶縁樹脂２６の膨張、収縮による影響を極力抑えることができ、光ファイバ１６に加わる引張りや曲げ応力を緩和することができる。
【０００７】
【発明が解決しようとする課題】
しかしながら、上述の光ファイバ内蔵碍子１０には、繊維強化樹脂ロッド２２Ａが細いと、螺旋溝２２Ｂを切るのが困難になり、また、螺旋溝２２Ｂを切ると、繊維強化樹脂ロッド２２Ａの強度が低下するという問題があった。
また、両端部に光コネクタが取り付けられた、一定の長さに規格化された光ファイバ１６を用いる場合、光ファイバ１６の螺旋溝２２Ｂに収納される長さが一定であるため、光ファイバ１６の端部の動きが自由になる部分（余長部分）の長さも一定になる。このために両端部に光コネクタが取り付けられ、一定の長さに形成された光ファイバ１６を長さの異なる繊維強化樹脂ロッド２２Ａ毎に各種作製しておかなければならず、非常に面倒であるという問題があった。
【０００８】
【課題を解決するための手段】
本発明は上記問題点を解決すべくなされたもので、中心に光ファイバが組み込まれた有機絶縁体を有する光ファイバ内蔵碍子において、前記有機絶縁体は、外周面に溝が切られていない繊維強化樹脂ロッドの外周面に光ファイバが巻き付けられると共に、前記光ファイバが前記繊維強化樹脂ロッドの所望の位置に接着剤で点状に固定されてなる光ファイバロッドと、前記光ファイバロッドに被せられた繊維強化樹脂筒とから成ることを特徴とするものである。
【０００９】
本発明によれば、光ファイバロッドは、外周面に溝が切られていない繊維強化樹脂ロッドの外周面に光ファイバが巻き付けられると共に、前記光ファイバが前記繊維強化樹脂ロッドの所望の位置に接着剤で点状に固定されているため、従来のように繊維強化樹脂ロッドに溝を切る必要がないので、光ファイバロッドの形成が容易であり、また、繊維強化樹脂ロッドの強度が低下することもない。
また、本発明によれば、光ファイバは外周面に溝が切られていない繊維強化樹脂ロッドの外周面に巻き付けられると共に、前記光ファイバが前記繊維強化樹脂ロッドの所望の位置に接着剤で点状に固定されているので、両端にコネクタが取り付けられた一定の長さの規格化された光ファイバを用いる場合でも、巻き付けピッチを変えることにより、余長部分の長さを調整することができるので、長さの異なる繊維強化樹脂ロッド毎に、両端に光コネクタが取り付けられ、一定の長さに形成された光ファイバを作製しておく必要がなくなる。
【００１０】
【発明の実施の形態】
以下、図面に基づいて本発明の実施の形態を詳細に説明する。
図１は、本発明にかかる光ファイバ内蔵碍子の一実施形態の縦断面図である。図１において、図３に関して説明した部分と同部分は同符号で指示している。
【００１１】
本実施形態の光ファイバ内蔵碍子１０は、碍子本体１２と、この碍子本体１２の両端に設けられた接続金具１４とからなる。
碍子本体１２は、光ファイバ１６が組み込まれた有機絶縁体１８と、この有機絶縁体１８の外周に設けられたひだ付きチューブ２０とからなっている。
有機絶縁体１８は、光ファイバロッド１と光ファイバロッド１に被覆された繊維強化樹脂筒２４とからなっている。この光ファイバロッド１と繊維強化樹脂筒２４の間には、絶縁樹脂２６が充填されている。
【００１２】
本実施形態が従来例と異なる特徴的なことは、図２に示すように、光ファイバロッド１が、外周面に溝が切られていない繊維強化樹脂ロッド２の外周面に光ファイバ１６が巻き付けられるとともに、前記光ファイバ１６が繊維強化樹脂ロッド２の所望の位置で点状に接着剤で固定（以下、固定点３ということがある）されて形成されていることである。
【００１３】
また、接続金具１４は、図１に示すように、碍子本体１２に嵌入される箱形の取付金具３０と、この取付金具３０に被せられるように取り付けられたカバーフランジ３２と、取付金具３０の側面に取付けられた光ファイバ１６を外部に接続するためのアダプターフランジ３４とからなっている。
【００１４】
上述のように、光ファイバ１６が繊維強化樹脂ロッド２の固定点３に固定されて形成されているために、従来のように繊維強化樹脂ロッド２に螺旋状の溝を形成し、そこに光ファイバ１６を収納する場合に比して、光ファイバロッド１の作製が容易になる。
また、繊維強化樹脂ロッド２に溝が形成されていないため、繊維強化樹脂ロッド２の強度が低下することもない。
【００１５】
さらに、両端部に光コネクタ４が取り付けられた光ファイバ１６を用いる場合、光ファイバ１６が一定の長さに規格化されたものを用いても、光ファイバ１６の繊維強化樹脂ロッド２への巻きピッチを変えて、光ファイバ１６を固定点３で固定することにより、光ファイバ１６端部の余長部分の長さを所望の長さにすることができる。したがって、光ファイバ１６の余長部分を適切な長さに調整して、余長収納部３８内に収納し、光ファイバ１６を光ファイバ保持部材５や留め具６で保持しながら、コネクタ４を相手側のアダプタ４０に接続する端末処理の作業が容易になる。
【００１６】
なお、上記実施形態においては、繊維強化樹脂ロッド２の外周面に光ファイバ１６を点状に固定したが、光ファイバ１６は繊維強化樹脂ロッド２の外周面と接する部分の全長にわたって固定するようにしてもよい。
【００１７】
【発明の効果】
以上説明したように本発明によれば、光ファイバロッドは、外周面に溝が切られていない繊維強化樹脂ロッドの外周面に光ファイバが巻き付けられると共に、前記光ファイバが前記繊維強化樹脂ロッドの所望の位置に接着剤で点状に固定されているため、従来のように繊維強化樹脂ロッドに溝を切る必要がないので、光ファイバロッドの形成が容易であり、また、繊維強化樹脂ロッドの強度が低下することもないという優れた効果がある。また、光ファイバの巻きピッチを変えることにより、余長部分の長さを調整することができるので、長さの異なる繊維強化樹脂ロッド毎に、両端に光コネクタが取り付けられ、一定の長さに形成された光ファイバを作製しておく必要がなくなるという効果もある。
【図面の簡単な説明】
【図１】本発明にかかる光ファイバ内蔵碍子の一実施形態の縦断面図である。
【図２】上記実施形態に用いられた光ファイバロッドの側面図である。
【図３】従来の光ファイバ内蔵碍子の縦断面図である。
【図４】上記従来の光ファイバ内蔵碍子に用いられた光ファイバロッドの側面図である。
【符号の説明】
１                      光ファイバロッド
２                      繊維強化樹脂ロッド
３                      固定点
４                      コネクタ
５                      光ファイバ保持部材
６                      留め具
１０                      光ファイバ内蔵碍子
１２                      碍子本体
１４                      接続金具
１６                      光ファイバ
１８                      有機絶縁体
２０                      ひだ付きチューブ
２４                      繊維強化樹脂筒
２６                      絶縁樹脂
２８                      キャップ
３０                      取付金具
３２                      カバーフランジ
３４                      アダプタフランジ
３６                      収納ケース
３８                      余長収納部
４０                      アダプタ
【図１】
0003802776.tif 000002
【図２】
0003802776.tif 000003
【図３】
0003802776.tif 000004
【図４】
0003802776.tif 000005